(57)【要約】      （修正有）【課題】御本尊などのシンボルマークや御真言などのメッセージや寺院名などの所属名などの文字や図形の彫刻部分を浮かび上がらせることにより装飾性、尊厳性、商品性を高めることができる置物を提供する。【解決手段】置物は、三色（赤、青、緑）のＬＥＤの発光素子６を設けた台座２にアクリル樹脂でできた透光板１を立設し、透光板１の背面の位置および上面の位置にひさし部のある濃色背面板１０を配置させて、透光板１の下端面から発光素子６の光線を照射して透光板１の内部のレーザーで彫刻された文字や図形の彫刻部分が優雅に浮び上がるのである。【選択図】図１
0003119835.tif 000002
【実用新案登録請求の範囲】
【請求項１】
発光素子を設けた台座に透明または半透明の透光板を立設して、前記透光板の下端面から上端方向へ前記発光素子の光線を照射してなる置物において、前記透光板には前記光線で散乱光となる文字や図形が彫刻してあって、前記透光板の背面の位置および上面の位置にひさし部のある濃色背面板を配置させたことを特徴とする置物。
【請求項２】
前記透光板にはその内部にレーザーで文字や図形を彫刻したことを特徴とする置物。
【請求項３】
透光板を台座に着脱自在としたことを特徴とする請求項１または請求項２記載の置物。
【請求項４】
前記光線で散乱光となる文字や図形の彫刻部分を祭祀に係る内容とし、祭祀用に供することを特徴とする請求項１乃至請求項３記載の置物。
【請求項５】
前記台座に透光板の立設位置よりは前方にスリットを形成し、前面板を前記スリットに挿入して前記濃色背面板のひさし部に当接させて前記台座と前記濃色背面板のひさし部とに張架することを可能としたことを特徴とする請求項４記載の置物。
【考案の詳細な説明】
【技術分野】
【０００１】  本考案は、置物、特に、家庭で祭祀用に供する置物に関する。
【背景技術】
【０００２】  従来、仏具、神具および聖具などの祭祀用具は、美粧性に乏しいものであった。【０００３】  そこで、特許文献１のように、材料や形状にこだわらずに、透明又は半透明の材料を用いて各種形状に形成すると共にその内部に戒名等の表示部をレーザー光により彫刻し、その表示部を透明体で透して見ることができる位牌が発明されている。【０００４】  また、特許文献２のように、中空の台座に、裏面に不透明な被膜を施した透明の板体からなる位牌を、その下端面を台座内部に露出させて立設させ、その表面にレーザーで戒名、命日など位牌に必要な彫刻を施すと共に、故人の写真、家紋を彫刻し、台座の内部に三色（赤、青、緑）のＬＥＤおよびその点灯制御装置を内蔵させ、位牌下端面よりＬＥＤ光線を照射することにより、上記彫刻部分を浮かび上がらせるように表示させることにより、装飾性、商品性のある位牌とした考案がされている。【０００５】
【特許文献１】  特開２００３−６１８１０号公報
【特許文献２】  実用新案登録第３０９０６４６号公報
【考案の開示】
【考案が解決しようとする課題】
【０００６】  しかし、特許文献１記載の発明では、例えば、彫刻した表示部が暗闇では目立たず依然として美粧性に乏しいものであった。【０００７】  また、特許文献２記載の考案では、美粧性は改善されたものの裏面に不透明な被膜を施した透明の板体を使用しているとはいえ、裏面のみであり、文字や画像の彫刻を施しても置物全体としての装飾性は十分ではない。特に、電飾した仏具などの祭祀用置物により、商品性を持たせ、高齢者がローソク・線香を使用する事は安全面で大変不安のある行為ゆえ、“明かり・灯・光”これにより心の安心を導く、持念仏として家族に備えて欲しいとアピールし、宗派を問わず仏壇のない家庭でも飾り棚においても違和感がないものを提供したりするものではなく、また各寺院の土産物、おさがり品などと営業手段として使えるようにした仏具などの祭祀用置物としては十分に満足のゆくものではなかった。【０００８】  そこで、本考案は、上記問題点を解消し、文字や図形の彫刻部分を浮かび上がらせることにより装飾性、尊厳性および商品性を高めることができる商品の提供を目的とする。
【課題を解決するための手段】
【０００９】  上記目的を達成するため、本考案の置物は、発光素子を設けた台座に透明または半透明の透光板を立設して、前記透光板の下端面から上端方向へ前記発光素子の光線を照射してなる置物において、前記透光板には前記光線で散乱光となる文字や図形が彫刻してあって、前記透光板の背面の位置および上面の位置にひさし部のある濃色背面板を配置させて透光板の散乱光を映えるようにしたことを特徴とする。【００１０】  また、本考案の仏具用置物は、前記透光板にはその内部にレーザーで文字や図形を彫刻することにより散乱光が得られることを特徴とする。【００１１】  さらに、透光板を台座に着脱自在とすることにより透光板のクリーニングや交換を容易としたことを特徴とする。【００１２】  前記光線で散乱光となる文字や図形の彫刻部分を祭祀に係る内容とし、祭祀用に供することを特徴とする。【００１３】  前記台座に透光板の立設位置よりは前方にはスリットを形成し、色紙を前記スリットに挿入して前記濃色背面板のひさし部に当接させて前記台座と前記濃色背面板のひさし部とに張架することを可能としたことにより透光板の光線で散乱光となる文字や画像を覆い、祭祀以外の用途に供することができる。
【考案の効果】
【００１４】  本考案の置物は、ひさし部のある濃色背面板を備え、発光素子を点灯させることによって、例えば、三色（赤、青、緑）のＬＥＤを点灯させることによって、各ＬＥＤの発光により三色の光が透明または半透明の透光板の下端面より上方に向かって、同時にまたは順次照射されると、透光板の彫刻部分において光が散乱され、その部分が優雅に浮び上がるのである。特に、透光板の内部にレーザーで文字や図形を彫刻した彫刻部分に対して効果は大きい。さらに、各ＬＥＤが入れ代わる際に光量を漸増減させると共にオーバーラップして点消灯制御することにより、オーロラのごとき色のハーモニー或いはグラデーションによって、気持ちを和ませ、あたかも天国のような癒しの趣きを出すものである。そして、祭祀用に供する置物として、電飾品の装飾性により、祭祀用具として、例えば仏具であれば、都会に出た子供達やまだ仏壇のない家庭においても信仰心を高め、御仏をうやまう気持ちを持ってそれに相応しい置場所が無くても、こだわることなく、装飾棚などに置いても違和感がなく飾っておくことができるとともに、法要などその祭壇にもこの電飾品を贈った方が話題性があり、宣伝にも一役買うことができる。
【考案を実施するための最良の形態】
【００１５】  本考案の置物は、三色（赤、青、緑）のＬＥＤの発光素子６を設けた台座２にアクリル樹脂でできた透光板１を立設し、前記透光板１の下端面から上端方向へ前記発光素子６の光線を照射して前記透光板１に彫刻された御本尊３、寺院名５、御真言４などの文字や図形の彫刻部分がひさし部のある濃色背面板１０により優雅に浮び上がるのである。
【実施例】
【００１６】  以下、図１および図２を参照して本考案を説明する。１は透光板で、２は台座である。前記台座２は断面山形状となっているが山部のみでもよいし、上下２段重ねにするなど形状は適宜選択すればよい。さらに、前記台座２の上面には溝２Ａが形成されており、前記透光板１を前記溝２Ａに載置することにより透光板１は台座２の上に立設される。なお、この場合、透光板１を台座２の前記溝２Ａに着脱自在とすることにより、透光板１を交換したりクリーニングしたりすることができる。【００１７】  また、前記透光板１は半透明または半透明のアクリル樹脂でできており、その内部には、文字や図形がレーザー（図示せず）により彫刻されている。この文字や図形は、仏具、神具および聖具などの祭祀用具として供する場合には、御本尊などのシンボルマーク３や御真言などのメッセージ４や寺院名などの所属名５である。この場合、前記文字や図形は、祭祀用具として供する内容を実施例としているが、美術用具など祭祀用具以外の用途に応用してもよい。【００１８】  台座２の上面の溝２Ａには三色（青、緑、赤）のＬＥＤ６が前記透光板１の下端面と対面するように設けられている。前記透光板１の下端面から上端方向へ前記発光素子６の光線を照射して前記透光板１の内部の御本尊などのシンボルマーク３や御真言などのメッセージ４や寺院名などの所属名５などの文字や図形の彫刻部分において光が散乱され、その部分が優雅に浮び上がるのである。【００１９】  図３はＬＥＤ点灯制御の概要説明図で、台座２には、前記ＬＥＤ６の点灯に必要な電源線コード９や直流電源部１１が配置されている。またＬＥＤ６の点灯の照射順序と光量を制御するマイクロコンピュータ・チップ（図示せず）からなる制御回路部７が配置されている。前記制御回路部７による制御は、単に各ＬＥＤを順次点消灯させるだけでもよいが、点灯の際に次第に光量を増し、消灯の際に次第に光量を減ずると共に、点灯と消灯とをオーバーラップして制御するものとすれば、より効果的である。なお、８は前記ＬＥＤ６を通電するための電源スイッチである。【００２０】  さらに、前記透光板１の背面および上面には、モスグリーン（深緑色）や紫色などを施した濃色背面板１０が台座２に配置されている。前記濃色背面板１０は前記透光板１の背面位置の背面部１０Ａと前記透光板１の上方から正面に延びるひさし部１０Ｂとからなり、背面部１０Ａやひさし部１０Ｂにモスグリーン（深緑色）や紫色の色のみや模様のあるモスグリーン（深緑色）や紫色などを施すことにより、その色調からＬＥＤ６の点灯による透光板１への照射時、より一層、透光板１のレーザー加工された彫刻部分の強調をはかることができ美粧性を向上させることができる。【００２１】  本考案の台座の異なる実施例として図４に基づいて説明する。台座２は上述と同様に、断面山形状で、溝２Ａが設けられており、さらに、前記溝２Ａの前方位置にスリット１２が形成されている。前記スリット１２に色紙などの前面板１１を挿入し、前記濃色背面板１０のひさし部１０Ｂに当接させ、前記台座２と前記濃色背面板１０のひさし部１０Ｂとに張架する。前記前面板１１は透光板１の文字や画像を覆い、前面板１１のデザインを適宜選定することにより、透光板１を利用した置物以外の置物の用途に供する。なお、本実施例においても台座２の形状は断面山形状でなくても山部のみでもよいし、上下２段重ねにして、溝２Ａの前方にスリット１２を形成すればよい。【００２２】  なお、上記両実施例における透光板１を半透明または半透明のアクリル樹脂にその内部に文字や図形がレーザーにより彫刻されているが、クリスタルガラスの表面にレーザーで彫刻したり、光拡散を良くするためサンドグラスト加工したりしても本考案の濃色背面板による美粧性はこの濃色背面板のない物に比し効果があるので、透光板１は半透明または半透明であれば、その材料や彫刻方法は適宜選択すればよい。
【図面の簡単な説明】
【００２３】
【図１】本考案の実施例の正面図である。
【図２】本考案の台座の実施例の正面縦断面図である。
【図３】本考案のＬＥＤ点灯制御の概要説明図である。
【図４】本考案の台座の異なる実施例の正面縦断面図である。
【符号の説明】
【００２４】１    透光板
２    台座
３    御本尊などのシンボルマーク
４    御真言などのメッセージ
５    寺院名などの所属名
６    ＬＥＤ
１０  濃色背面板
１１  前面板
１２  スリット
【図１】
0003119835.tif 000003
【図２】
0003119835.tif 000004
【図３】
0003119835.tif 000005
【図４】
0003119835.tif 000006
【手続補正書】
【提出日】平成17年11月9日(2005.11.9)
【手続補正１】
【補正対象書類名】実用新案登録請求の範囲
【補正対象項目名】請求項２
【補正方法】変更
【補正の内容】
【請求項２】
前記透光板にはその内部にレーザーで文字や図形を彫刻したことを特徴とする請求項１記載の置物。